(57)【要約】【課題】指定された地点の環境音を再現する。【解決手段】環境音再現装置（１０）は、複数の音要素をさまざまな音量でミキシングして構成される環境音があらかじめ定義されている複数のモデル地点から、指定された地点から地図上で所定範囲内にある一または複数のモデル地点を選定するモデル地点選定部（１１）と、選定されたモデル地点の，あらかじめ定義されている環境音を構成する各音要素の音量を、指定された地点と選定されたモデル地点との距離に応じて重み付け加算して、複数の音要素のそれぞれの音量を求める音要素音量計算部（１２）と、複数の音要素のそれぞれを求められた音量でミキシングして指定された地点の環境音を再現する音要素ミキシング部（１３）とを備える。【選択図】図１
2019219887.tif 000002
【特許請求の範囲】
【請求項１】
指定された地点の環境音を再現する環境音再現装置であって、
複数の音要素をさまざまな音量でミキシングして構成される環境音があらかじめ定義されている複数のモデル地点から、前記指定された地点から地図上で所定範囲内にある一または複数のモデル地点を選定するモデル地点選定部と、
前記選定されたモデル地点の前記あらかじめ定義されている環境音を構成する各音要素の音量を、前記指定された地点と前記選定されたモデル地点との距離に応じて重み付け加算して、前記複数の音要素のそれぞれの音量を求める音要素音量計算部と、
前記複数の音要素のそれぞれを前記求められた音量でミキシングして前記指定された地点の環境音を再現する音要素ミキシング部とを備えた環境音再現装置。
【請求項２】
前記複数のモデル地点の環境音が季節別および／または時間帯別に細分化してあらかじめ定義されており、
前記音要素音量計算部が、前記指定された地点の環境音再現に関してさらに季節および／または時間帯が指定された場合、前記選定されたモデル地点の前記あらかじめ定義されている環境音のうち当該指定された季節および／または時間帯に対応する環境音を構成する各音要素の音量の重み付け加算を行うものである、請求項１に記載の環境音再現装置。
【請求項３】
前記音要素音量計算部が、前記選定されたモデル地点の前記あらかじめ定義されている環境音を構成する各音要素の音量を、１／Ｌ２（ただし、Ｌは前記指定された地点と前記選定されたモデル地点との距離である。）で表される重みで加算するものである、請求項１または請求項２に記載の環境音再現装置。
【請求項４】
前記複数の音要素が、川のせせらぎの音や鳥の鳴き声などの自然由来のカテゴリー、工場の操業音や電車の音などの人工物由来のカテゴリー、および子供の声や混雑の音などの人の活動由来のカテゴリーの３つのカテゴリーの音要素を含む、請求項１ないし請求項３のいずれかに記載の環境音再現装置。
【請求項５】
指定された地点の環境音を再現する環境音再現方法であって、
複数の音要素をさまざまな音量でミキシングして構成される環境音があらかじめ定義されている複数のモデル地点から、前記指定された地点から地図上で所定範囲内にある一または複数のモデル地点を選定する第１のステップと、
前記選定されたモデル地点の前記あらかじめ定義されている環境音を構成する各音要素の音量を、前記指定された地点と前記選定されたモデル地点との距離に応じて重み付け加算して、前記複数の音要素のそれぞれの音量を求める第２のステップと、
前記複数の音要素のそれぞれを前記求められた音量でミキシングして前記指定された地点の環境音を再現する第３のステップとを備えた環境音再現方法。
【請求項６】
前記複数のモデル地点の環境音が季節別および／または時間帯別に細分化してあらかじめ定義されており、
前記第２のステップが、前記指定された地点の環境音再現に関してさらに季節および／または時間帯が指定された場合、前記選定されたモデル地点の前記あらかじめ定義されている環境音のうち当該指定された季節および／または時間帯に対応する環境音を構成する各音要素の音量の重み付け加算を行うことを含む、請求項５に記載の環境音再現方法。
【請求項７】
前記第２のステップが、前記選定されたモデル地点の前記あらかじめ定義されている環境音を構成する各音要素の音量を、１／Ｌ２（ただし、Ｌは前記指定された地点と前記選定されたモデル地点との距離である。）で表される重みで加算することを含む、請求項５または請求項６に記載の環境音再現方法。
【請求項８】
前記複数の音要素が、川のせせらぎの音や鳥の鳴き声などの自然由来のカテゴリー、工場の操業音や電車の音などの人工物由来のカテゴリー、および子供の声や混雑の音などの人の活動由来のカテゴリーの３つのカテゴリーの音要素を含む、請求項５ないし請求項７のいずれかに記載の環境音再現方法。
【請求項９】
請求項１に記載の環境音再現装置を含む不動産検索システムであって、
不動産物件情報が登録された物件データベースと、
与えられた条件で前記物件データベースを検索する検索エンジンと、
ユーザー端末から物件検索条件を受け付けて前記検索エンジンに当該物件検索条件を渡して検索を実行させ、前記検索エンジンから検索結果を受けて前記ユーザー端末に当該検索結果を提供するフロントエンドサーバとを備え、
前記環境音再現装置が、前記検索エンジンから検索により見つかった不動産物件の地点情報を受けて当該地点の環境音を再現するものであり、
前記フロントエンドサーバが、前記ユーザー端末に前記検索エンジンの検索結果とともに前記環境音再現装置によって再現された環境音の音声データを提供するものである、不動産検索システム。
【請求項１０】
請求項１に記載の環境音再現装置または請求項５に記載の環境音再現方法で使用されるモデル地点の環境音を推定する方法であって、
前記環境音を構成する複数の音要素が、川のせせらぎの音や鳥の鳴き声などの自然由来のカテゴリー、工場の操業音や電車の音などの人工物由来のカテゴリー、および子供の声や混雑の音などの人の活動由来のカテゴリーの３つのカテゴリーの音要素を含み、
地図情報から、前記モデル地点から所定範囲内にある，自然由来および人工物由来の音要素の音源となり得る対象物を特定する第１のステップと、
ソーシャルネットワークサービスに投稿されたビッグデータを解析して、投稿者のプロフィール、投稿場所の分布状況、および音に関するキーワードを抽出する第２のステップと、
前記複数の音要素のうち前記特定された対象物に紐づけられた自然由来の音要素の音量を、前記モデル地点とその対象物との距離に応じた値に設定する第３のステップと、
前記複数の音要素のうち前記特定された対象物に紐づけられた人工物由来の音要素の音量を、その対象物に係る統計データ応じた値に設定する第４のステップと、
前記複数の音要素のうち人の活動由来の音要素の音量を、前記モデル地点での投稿数、投稿者のプロフィールおよび音に関するキーワードに応じた値に設定する第５のステップとを備えたモデル地点環境音推定方法。
【請求項１１】
前記第１のステップが、投稿日時を抽出することをさらに含み、
前記第５のステップが、前記複数の音要素のうち人の活動由来の音要素の音量を、前記抽出された投稿日時に応じて季節別および／または時間帯別に細分化して設定することをさらに含む、請求項１０に記載のモデル地点環境音推定方法。
【発明の詳細な説明】
【技術分野】
【０００１】
本発明は、指定された地点の環境音を再現する装置および方法、およびそのような装置を応用した不動産検索システム、さらにはそのような装置および方法で使用されるモデル地点の環境音を推定する方法に関する。
【背景技術】
【０００２】
都市に関する情報は、都市計画、治安、防災、不動産などさまざまな場面で重要となるが、カテゴリーや量的な情報だけでなく、機械での取扱いが困難な質的な情報が重要となる場合がある。例えば、旅行の際には、観光地や飲食店の種類といったカテゴリー情報や値段や駅からの距離といった数値情報だけでなく、「落ち着ける」「京都らしい」など、個々に分解できない総和としての情報が必要となる。同様に、引越の際には、予算、間取りといった情報だけでなく、「静か」「風情がある」といったような情報が必要であり、このため多くの場合、実際に物件を見てから契約を行う。さらには、被災地復興に際しては町の雰囲気を取り戻すといったことが目標になる場合が、雰囲気をどのように定義するかは個々の要素に還元しづらい難しい問題である。
【０００３】
従来、音によって都市の総合的な雰囲気を表現しようとする試みがなされている。例えば、下記非特許文献１には、イタリアの都市フィレンツェを対象とした音声マップとして、プロフェッショナルや現地の一般市民が録音した現地音を地図上にマッピングして視聴可能な音声マップ技術が開示されている。また、録音をしないアプローチで音の地図を作るという試みもなされている。例えば、下記非特許文献２には、ユビキタスデータに基づくニューヨーク市の騒音マップに関する研究が報告されている。より詳細には、都市の騒音と相関があることが報告されているユビキタスデータソースとして、“３１１”（非緊急市民サービス）を通して報告された不満データ、位置ベースＳＮＳにおけるチェックインデータ、道路ネットワーク、ＰｏＩ（地図上の特定のポイント；地点）を用いて、時間帯や騒音カテゴリごとに各地域の騒音公害指標を測定する技術が開示されている。下記非特許文献３には、バルセロナとロンドンにおける音声マップに関する研究が報告されている。より詳細には、位置情報付き写真に付与されている音楽関連タグと音に関する語とをマッチングさせて都市の音の辞書を構築・公開し、また、このタグをもとに音声マップを生成している。
【先行技術文献】
【非特許文献】
【０００４】
【非特許文献１】Radicchi, A., Henckel, D. & Memmel, M., “Citizens as smart, active sensors for a quiet and just city. The case of the “open source soundscapes” approach to identify, assess and plan “everyday quiet areas” in cities,” Noise Mapping, 2018, 5(1), pp. 1-20.
【非特許文献２】Yilun Wang, Yu Zheng, and Tong Liu, “A Noise Map of New York city,” In Proc. of UbiComp '14 Adjunct., 2014, pp. 275-278.
【非特許文献３】Luca Maria Aiello, Rossano Schifanella, Daniele Quercia, and Francesco Aletta, “Chatty Maps: Constructing sound maps of urban areas from social media data,” Royal Society Open Science, Vol. 3, No. 3, pp. 1-19.
【発明の概要】
【発明が解決しようとする課題】
【０００５】
上記非特許文献１に開示された音声マップ技術では、プロフェッショナルや現地の一般市民から環境音を取得する必要がある。しかし、大量の協力者から特定の場所について恒常的に環境音を得ることはコストがかかり現実的に難しく、特定の時点や特定の地点のみのデータに限られるという問題がある。また、上記非特許文献２および３では、ユビキタスデータを用いて特定の都市における騒音公害指標の測定や、都市の音と人々の感情との関係を調査している。しかし、特定の都市を対象としていること、また、騒音を対象にしているため再現できる環境音としては限定的である。
【０００６】
上記問題に鑑み、本発明は、特定の都市に限定することなく、また、騒音、不快音などの特定の環境音に限定することなく、任意の地点における環境音を再現する環境音再現装置および方法、およびそのような環境音再現装置を応用した不動産検索システムを提供することを目的とする。また、本発明は、そのような環境音再現装置および方法で使用されるモデル地点の環境音を推定する方法を提供することも併せて目的とする。
【課題を解決するための手段】
【０００７】
本発明の一局面に従うと、指定された地点の環境音を再現する環境音再現装置が提供される。当該環境音再現装置は、複数の音要素をさまざまな音量でミキシングして構成される環境音があらかじめ定義されている複数のモデル地点から、前記指定された地点から地図上で所定範囲内にある一または複数のモデル地点を選定するモデル地点選定部と、前記選定されたモデル地点の前記あらかじめ定義されている環境音を構成する各音要素の音量を、前記指定された地点と前記選定されたモデル地点との距離に応じて重み付け加算して、前記複数の音要素のそれぞれの音量を求める音要素音量計算部と、前記複数の音要素のそれぞれを前記求められた音量でミキシングして前記指定された地点の環境音を再現する音要素ミキシング部とを備えている。
【０００８】
本発明の他の局面に従うと、上記環境音再現装置に対応する環境音再現方法が提供される。
【０００９】
当該環境音再現装置および方法によると、環境音を再現すべき地点が指定されるとその近辺の一または複数のモデル地点が選定され、当該モデル地点の環境音を構成する各音要素の音量が重み付け加算され、各音要素を計算された音量でミキシングすることで当該指定地点の環境音を再現することができる。
【００１０】
本発明のさらに他の局面に従うと、上記環境音再現装置を含む不動産検索システムが提供される。当該不動産検索システムは、不動産物件情報が登録された物件データベースと、与えられた条件で前記物件データベースを検索する検索エンジンと、ユーザー端末から物件検索条件を受け付けて前記検索エンジンに当該物件検索条件を渡して検索を実行させ、前記検索エンジンから検索結果を受けて前記ユーザー端末に当該検索結果を提供するフロントエンドサーバとを備え、前記環境音再現装置が、前記検索エンジンから検索により見つかった不動産物件の地点情報を受けて当該地点の環境音を再現するものであり、前記フロントエンドサーバが、前記ユーザー端末に前記検索エンジンの検索結果とともに前記環境音再現装置によって再現された環境音の音声データを提供するものである。
【００１１】
当該不動産検索システムによると、検索の結果見つかった不動産物件情報とともに当該不動産物件における環境音の音声データが環境音再現装置によって再現されユーザー端末に提供され、ユーザーは当該環境音を自由に聞くことができる。
【００１２】
本発明のさらに他の一局面に従うと、上記の環境音再現装置または方法で使用されるモデル地点の環境音を推定する方法が提供される。前記環境音を構成する複数の音要素が、川のせせらぎの音や鳥の鳴き声などの自然由来のカテゴリー、工場の操業音や電車の音などの人工物由来のカテゴリー、および子供の声や混雑の音などの人の活動由来のカテゴリーの３つのカテゴリーの音要素を含み、当該モデル地点環境音推定方法は、地図情報から、前記モデル地点から所定範囲内にある，自然由来および人工物由来の音要素の音源となり得る対象物を特定する第１のステップと、ソーシャルネットワークサービスに投稿されたビッグデータを解析して、投稿者のプロフィール、投稿場所の分布状況、および音に関するキーワードを抽出する第２のステップと、前記複数の音要素のうち前記特定された対象物に紐づけられた自然由来の音要素の音量を、前記モデル地点とその対象物との距離に応じた値に設定する第３のステップと、前記複数の音要素のうち前記特定された対象物に紐づけられた人工物由来の音要素の音量を、その対象物に係る統計データ応じた値に設定する第４のステップと、前記複数の音要素のうち人の活動由来の音要素の音量を、前記モデル地点での投稿数、投稿者のプロフィールおよび音に関するキーワードに応じた値に設定する第５のステップとを備える。
【００１３】
当該モデル地点環境音推定方法によると、モデル地点の環境音を一定の精度を持って自動的に定義することができ、多数のモデル地点の環境音定義に係るコストおよび労力を削減することができる。
【発明の効果】
【００１４】
本発明によると、特定の都市に限定することなく、また、騒音、不快音などの特定の環境音に限定することなく、任意の地点における環境音を再現することができる。これにより、音によって任意の都市の総合的な雰囲気（都市論における様相）を把握できるようになる。例えば、不動産検索システムにおいて見つかった不動産物件の周囲環境を音でもって確認することができる。
【００１５】
また、モデル地点における環境音の定義が一部自動化できる。これにより、広範囲に多数のモデル地点を設定して、環境音再現装置で環境音を再現可能な地域を広げてゆくことができる。
【図面の簡単な説明】
【００１６】
【図１】本発明の一実施形態に係る環境音再現装置を含むシステム全体のブロック図
【図２】ユーザー端末の表示画面の一例を示す図
【図３】モデル地点選定を説明する図
【図４】モデル地点定義データのデータ構造例を示す図
【図５Ａ】モデル地点環境音（自然由来および人工物由来の音要素）の推定方法のフローチャート
【図５Ｂ】モデル地点環境音（人の活動由来の音要素）の推定方法のフローチャート
【図６】本発明の一実施形態に係る不動産検索システムを含むシステム全体のブロック図
【図７】検索条件入力時のユーザー端末の画面例を示す図
【図８】検索結果表示時のユーザー端末の画面例を示す図
【発明を実施するための形態】
【００１７】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１８】
なお、発明者らは、当業者が本発明を十分に理解するために添付図面および以下の説明を提供するのであって、これらによって特許請求の範囲に記載の主題を限定することを意図するものではない。
【００１９】
（環境音再現装置の実施形態）
図１は、本発明の一実施形態に係る環境音再現装置を含むシステム全体のブロック図である。本実施形態に係る環境音再現装置１０は、クラウド環境１００に配置されたサーバ装置上で稼働してＳａａＳ（Software as a Service）の形態で実施することができる。クラウド環境１００には、さらに、地図の画像データ、航空写真、ランドマークの位置情報などのマップデータを提供するマップサーバ２０、および後述する音要素データ３１やモデル地点定義データ３２を格納するストレージ３０が配置されている。
【００２０】
ユーザーはパソコン、スマートフォン、タブレット端末などのユーザー端末１０１を用いてインターネットなどのネットワークを通じてクラウド環境１００にアクセスすることができる。ユーザー端末１０１は、マップサーバ２０からマップ画像データを取得してユーザー端末１０１の画面上にマップを表示することができる。また、ユーザー端末１０１は、環境音再現装置１０によって生成された，マップ上の任意の地点の環境音を再現した音声データを取得してユーザー端末１０１の図略のスピーカーから当該環境音を出力することができる。
【００２１】
図２は、ユーザー端末１０１の表示画面の一例を示す。なお、同図中に示した地図は、国土地理院の地理院地図から抜粋したものである。例えば、ユーザー端末１０１からマップ表示が要求されると、マップサーバ２０がマップ画像データをユーザー端末１０１に転送してユーザー端末１０１の画面にマップ１０２が表示される。ユーザーは図略のマウスなどを操作して画面上のカーソル１０３を動かして任意の点をクリックすることによりマップ１０２上の地点を指定することができる。ユーザー端末１０１がスマートフォンやタブレット端末などの場合には、ユーザーは画面にタッチしてマップ１０２上の地点を直接指定することができる。
【００２２】
なお、マップ１０２上の任意の地点の指定は上記以外にも、例えば、住所を入力してその住所を地図上の位置情報（緯度および経度）に変換したり、緯度および経度を直接入力したりして行うことができる。
【００２３】
マップ１０２上で任意の地点が指定されると、当該地点の地図上の位置情報がユーザー端末１０１からマップサーバ２０に送信され、マップ１０２において当該地点にピンアイコン１０４が表示されるとともにそのそばに環境音再生ボタン１０５が表示される。ユーザーはカーソル１０３を移動させて環境音再生ボタン１０５をクリックするかあるいは環境音再生ボタン１０５をタッチすることで、環境音再現装置１０が再現した当該地点の環境音をユーザー端末１０１の図略のスピーカーから聞くことができる。
【００２４】
さらに別の実施形態では、環境音再生ボタン１０５にカーソル１０３を重ねるかまたは環境音再生ボタン１０５近傍をタッチすると、季節を選択するためのプルダウン１０６と時間帯を選択するためのプルダウン１０７が表示される。ユーザーはプルダウン１０６および１０７を操作して所望の季節および時間帯を選ぶことで、環境音再現装置１０が再現した当該地点の当該季節および時間帯の環境音を聞くことができる。
【００２５】
次に、指定地点の環境音を再現する環境音再現装置１０の構成例を説明する。図１へ戻り、環境音再現装置１０は、モデル地点選定部１１と、音要素音量計算部１２と、音要素ミキシング部１３とを備えている。なお、環境音再現装置１０のこれら構成要素は、ハードウェアとしてあるいはソフトウェアとして、さらにはそれらの組み合わせで適宜構成することができる。
【００２６】
モデル地点選定部１１は、地図上のところどころにあらかじめ設定されている複数のモデル地点から、ユーザーにより指定された地点から地図上で所定範囲内にある一または複数のモデル地点を選定する。ここでいう「モデル地点」とは、環境音があらかじめ定義されている地点のことである。任意の地点の環境音はモデル地点の環境音を適宜ミキシングすることで再現される。
【００２７】
図３は、モデル地点選定を説明する図である。例えば、地図上に８つのモデル地点Ｐ１〜Ｐ８が設定されている場合においてユーザーが指定した地点がＰ０であったとする。モデル地点選定部１１は、指定地点Ｐ０から半径ｒ（例えば、５００メートル）の範囲Ｒ内にあるモデル地点を探索して見つかったモデル地点Ｐ２、Ｐ４、Ｐ７を指定地点Ｐ０の環境音を再現する元となるモデル地点として選定する。
【００２８】
なお、図３の例では範囲Ｒが円であるが、モデル地点探索のための範囲は円に限られず楕円でもよく、あるいは、正方形や正六角形などの多角形であってもよい。また、指定地点Ｐ０から範囲Ｒ内にモデル地点が存在しない場合には、少なくとも一つのモデル地点が見つかるまで範囲Ｒを広げるようにしてもよい。逆に、範囲Ｒ内に非常に多くのモデル地点が存在する場合には、範囲Ｒを狭めて選定されるモデル地点の数を絞ってもよい。
【００２９】
モデル地点が指定地点から所定範囲内にあるか否かの判定は各地点の位置情報（例えば、緯度および経度）に基づいて行うことができる。指定地点の位置情報はマップサーバ２０から取得することができ、また、各モデル地点の位置情報はストレージ３０においてモデル地点定義データ３２として記録されている。
【００３０】
図４は、モデル地点定義データのデータ構造例を示す図である。モデル地点定義データ３２において、モデル地点の一つ一つに地点名、緯度、経度その他の情報が紐づけられている。モデル地点選定部１１は、モデル地点定義データ３２を参照して、指定地点から所定範囲内の一または複数のモデル地点を選定することができる。
【００３１】
ここで、本実施形態で取り扱う環境音の構成について説明する。本実施形態において、環境音は、複数の音要素をさまざまな音量でミキシングして構成される。音要素は、波の音、鳥の鳴き声、電車の音、子供の声といったさまざまな音の素材であり、それらの音のデジタルデータが音要素データ３１としてストレージ３０に格納されている。図１の例では“音要素１．ｍｐ３”ないし“音要素ｎ．ｍｐ３”なるファイル名のｎ個の音要素データ３１がストレージ３０に格納されている。
【００３２】
モデル地点の環境音について各音要素をどれくらいの音量でミキシングするかはモデル地点定義データ３２にあらかじめ定義されている。例えば、図４に示したデータ構造例では、 “音要素１”ないし“音要素ｎ”の音量が０から１の範囲の小数値で定義されている。“音要素１”ないし“音要素ｎ”は“音要素１．ｍｐ３”ないし“音要素ｎ．ｍｐ３”なるファイル名の音要素データ３１に一対一に紐づけられている。
【００３３】
さらに、同じモデル地点でも季節別および／または時間帯別に環境音を細分化して定義してもよい。例えば、図４に示したデータ構造例では、各モデル地点につき４つの季節別（春、夏、秋、冬）および３つの時間帯（午前、午後、夜）に細分化された環境音が定義されている。
【００３４】
音要素の種類および数は任意であるが、好ましくは、自然由来のカテゴリー、人工物由来のカテゴリー、および人の活動由来のカテゴリーの３つのカテゴリーを含むようにするとよい。自然由来のカテゴリーの音要素としては、雨、風、森、強い風、波、川のせせらぎ、セミ、鳥、カラス、虫、ウミネコ、カモメ、木枯らし、スズメ、カエルの音や声が挙げられる。人工物由来のカテゴリーの音要素としては、電車、車、工場、飛行機、高速道路、港の音が挙げられる。人の活動由来のカテゴリーの音要素としては、まばらな人、混雑、商店、子供、鐘、ブランコ、大歓声などの声や音が挙げられる。このように自然由来、人工物由来、および人の活動由来の３つのカテゴリーの音要素を適宜ミキシングすることにより、より自然な環境音を再現することができる。
【００３５】
図１へ戻り、音要素音量計算部１２は、指定された地点の環境音、すなわち再現すべき環境音を構成する複数の音要素のそれぞれの音量を求める。具体的には、音要素音量計算部１２は、モデル地点定義データ３２を参照して、モデル地点選定部１１によって選定されたモデル地点の環境音を構成する各音要素の音量を取得する。例えば、図２に示したように季節および／または時間帯がさらに指定されている場合には、音要素音量計算部１２は、選定されたモデル地点の環境音のうち当該指定された季節および／または時間帯に対応する環境音を構成する各音要素の音量を取得する。そして、音要素音量計算部１２は、モデル地点定義データ３２から取得した各音要素の音量を、指定された地点と選定されたモデル地点との距離に応じて重み付け加算することで、再現すべき環境音を構成する複数の音要素のそれぞれの音量を求める。
【００３６】
重みとして、例えば、指定された地点と選定されたモデル地点とのユークリッド距離の２乗値の逆数を用いることができる。ここで、選定されたモデル地点が３つある場合を仮定し、各モデル地点の環境音を構成する音要素ｉの音量をＶ１、Ｖ２、Ｖ３、指定地点と各モデル地点とのユークリッド距離をＬ１、Ｌ２、Ｌ３とすると、指定地点の環境音を構成する音要素ｉの音量Ｖ０は、
Ｖ０＝（１／Ｌ１２）＊Ｖ１＋（１／Ｌ２２）＊Ｖ２＋（１／Ｌ３２）＊Ｖ３
で計算される。
【００３７】
なお、上記計算方法では選定されたモデル地点が多数あると、計算された音要素ｉの音量が１を超えてしまうおそれがある。それを回避するために、シグモイド関数などを用いて音要素ｉの音量が０から１の範囲に収まるように調整してもよい。
【００３８】
音要素ミキシング部１３は、複数の音要素のそれぞれを音要素音量計算部１２によって求められた音量でミキシングして指定地点の環境音を再現する。具体的には、音要素ミキシング部１３は、ストレージ３０に格納されている各音要素データ３１を求められた音量でミキシングして指定地点の環境音の音声データを生成する。当該生成された環境音音声データはユーザー端末１０１に送信され、ユーザーは環境音再生ボタン１０５をクリックすることで指定地点の環境音を聞くことができる。
【００３９】
以上のように、本実施形態に係る環境音再現装置１０によると、ユーザーにより指定された地点の環境音が、その近辺における，環境音があらかじめ定義されているモデル地点の環境音に基づいて再現されるため、指定地点の環境音再現に要する計算量が比較的少なくて済む。これにより、任意の地点の環境音をリアルタイムで再現することができる。
【００４０】
特に、従来技術のように現地で録音した環境音をそのまま再生すると人の声が含まれていてプライバシーの問題が生じるところ、本実施形態に係る環境音再現装置１０は、音要素という音の素材を適宜ミキシングして環境音を再現するため、そのようなプライバシーの問題を回避することができる。
【００４１】
また、環境音は季節や時間帯によって異なることがあるところ、本実施形態に係る環境音再現装置１０では季節および／または時間帯を指定できるため、より実態に即した環境音を再現することができる。
【００４２】
なお、上記説明では環境音再現装置１０はクラウド環境１００に配置されるとしたが、ユーザー側のパソコンに配置してもよい。
【００４３】
（モデル地点環境音の推定方法）
上記モデル地点の環境音は手動あるいはヒューリスティックスな手法で定義してもよいが、モデル地点の数が多くなると人手ですべてを定義することが困難になる。かかる問題に対して、以下に示すモデル地点環境音の推定方法を導入することで、モデル地点の環境音の定義を一部自動化することが可能となる。なお、以下のモデル地点環境音の推定方法はパソコンなどを用いて実施可能である。
【００４４】
図５Ａは、モデル地点環境音（自然由来および人工物由来の音要素）の推定方法のフローチャートである。各モデル地点における自然由来および人工物由来の音要素は地図情報および統計データから推定することができる。
【００４５】
まず、Google（登録商標）マップやOpenStreetMap（登録商標）などの地図情報から、モデル地点から所定範囲内にある，自然由来および人工物由来の音要素の音源となり得る対象物を特定する（Ｓ１１）。例えば、海や川などは自然由来の音要素の音源となり得る対象物であり、工場、道路、空港などは人工物由来の音要素の音源となり得る対象物である。
【００４６】
地図情報から音源対象物が特定されると、ステップＳ１１で特定された対象物に紐づけられた自然由来の音要素の音量を、モデル地点とその対象物との距離に応じた値に設定する（Ｓ１２）。例えば、対象物「海」は自然由来の音要素「波」と紐づけられており、海岸線に近いモデル地点では海岸線からの距離に応じて音要素「波」の音量を設定することができる。
【００４７】
次に、ステップＳ１１で特定された対象物に紐づけられた人工物由来の音要素の音量を、その対象物に係る統計データ応じた値に設定する（Ｓ１３）。統計データとして、幹線道路の交通量や道路幅などの情報を用いることができる。例えば、対象物「道路」は人工物由来の音要素「車」と紐づけられており、幹線道路に近いモデル地点では当該道路の交通量および道路幅に応じて音要素「車」の音量を設定することができる。
【００４８】
なお、図５Ａでは便宜上、ステップＳ１１の後にステップＳ１２→ステップＳ１３の順に実行しているが、ステップＳ１２とステップＳ１３の順序を入れ替えて、ステップＳ１１の後に先にステップＳ１３を実行し、その後ステップＳ１２を実行するようにしてもよい。
【００４９】
図５Ｂは、モデル地点環境音（人の活動由来の音要素）の推定方法のフローチャートである。各モデル地点における人の活動由来の音要素はソーシャルネットワーク（ＳＮＳ）のビックデータから推定することができる。
【００５０】
まず、Twitter（登録商標）やFacebook（登録商標）などのソーシャルネットワークサービスに投稿された例えば過去１年分のビッグデータを解析して、投稿者のプロフィール、投稿場所の分布状況、および音に関するキーワードを抽出する（Ｓ２１）。投稿者のプロフィールが直接抽出できない場合には、既存の技術を利用して投稿内容から投稿者の居住地、年齢層、性別などを推定してもよい。音に関するキーワードは、例えば、「うるさい」「落ち着く」「静か」「にぎやか」「うるさい」「人混みだらけ」「ガヤガヤ」といった言葉である。なお、これらキーワードはＳＮＳビッグデータを学習することで得ることができる。
【００５１】
ＳＮＳビックデータが解析できると、モデル地点における人の活動由来の音要素の音量を、モデル地点での投稿数、投稿者のプロフィール、および音に関するキーワードに応じた値に設定する（Ｓ２２）。例えば、投稿数の多いモデル地点では音要素「混雑」の音量が高めに設定され、投稿者のプロフィールから当該投稿者が子連れであると判断できる場合にはそのモデル地点における音要素「子供」や「ブランコ」の音量が高めに設定される。また、「うるさい」「にぎやか」といったキーワードが含まれる場合にはそのモデル地点の音要素「混雑」や「大歓声」の音量が高めに設定される。
【００５２】
さらに、人の活動由来の音要素については、ＳＮＳへの投稿日時に応じてその音量を季節別および／または時間帯別に細分化して設定することができる。例えば、モデル地点が観光地である場合には、観光シーズンに「うるさい」「人混みだらけ」といったキーワードを含む投稿が集中していれば、そのモデル地点の観光シーズンにおける音要素「混雑」の音量が高めに設定される。
【００５３】
（環境音再現装置の応用例）
次に、本実施形態に係る環境音再現装置１０を不動産検索システムに応用した例について説明する。図６は、本発明の一実施形態に係る不動産検索システムを含むシステム全体のブロック図である。本実施形態に係る不動産検索システム１０Ａもまた、クラウド環境１００に配置されたサーバ装置上で稼働してＳａａＳの形態で実施することができる。クラウド環境１００には、さらに、上記のマップサーバ２０およびストレージ３０が配置されている。ユーザーはユーザー端末１０１にインストールされているウェブブラウザーまたは専用アプリから不動産検索システム１０Ａにアクセスしてサービスを受けることができる。
【００５４】
不動産検索システム１０Ａは、物件データベース１４と、検索エンジン１５と、フロントエンドサーバ１６と、環境音再現装置１０とを備えている。物件データベース１４には土地や建物の場所、占有面積、価格、築年数、間取り、生活環境などの不動産物件情報が登録されている。検索エンジン１５は、与えられた条件で物件データベース１４を検索する。
【００５５】
フロントエンドサーバ１６は、ユーザー端末１０１と通信し、ユーザー端末１０１から検索条件を受け付け、また、ユーザー端末１０１に検索結果を提供する。図７は、検索条件入力時のユーザー端末１０１の画面例を示す。ユーザーは、街の雰囲気、物件の賃料、占有面積、築年数その他の条件を指定することができる。条件を入力してから画面上の検索ボタン１０８を押すことでユーザー端末１０１からフロントエンドサーバ１６に物件検索条件が送信される。フロントエンドサーバ１６は、ユーザー端末１０１から物件検索条件を受け付けると検索エンジン１５に当該物件検索条件を渡して検索を実行させる。
【００５６】
検索エンジン１５による検索が終わると、環境音再現装置１０は、検索エンジン１４から検索により見つかった不動産物件の地点情報を受けて当該地点の環境音を再現する。環境音の再現方法については上述した通りであるからここでの再度の説明は省略する。フロントエンドサーバ１６は、検索エンジン１５から検索結果を受けてユーザー端末１０１に当該検索結果を提供する。このとき、フロントエンドサーバ１６は、環境音再現装置１０によって再現された環境音の音声データもユーザー端末１０１に提供する。
【００５７】
図８は、検索結果表示時のユーザー端末１０１の画面例を示す。見つかった不動産物件はマップ１０２にピンアイコン１０４でその位置が示されるとともに物件情報ウィンドウ１０９に詳細情報が表示される。物件情報ウィンドウ１０９には環境音再生ボタン１０５があり、ユーザーはカーソル１０３を移動させて環境音再生ボタン１０５をクリックするかあるいは環境音再生ボタン１０５近傍をタッチすることで、当該見つかった不動産物件における環境音をユーザー端末１０１の図略のスピーカーから聞くことができる。さらに、季節を選択するためのプルダウン１０６および時間帯を選択するためのプルダウン１０７を操作して所望の季節および時間帯を選ぶことで、当該見つかった不動産物件における当該季節および時間帯の環境音を聞くことができる。
【００５８】
なお、上記例では不動産検索システム１０Ａが環境音再現装置１０を備えているとしたが、既存の不動産検索システムを、ＡＰＩ（Application Programming Interface）を通じて環境音再現装置１０と外部連携するように機能拡張することで、上記の不動産検索システム１０Ａと同等のシステムを構築することができる。
【００５９】
（その他の応用例）
本実施形態に係る環境音再現装置１０は、経路案内システムにおける音声ナビゲーションに応用することもできる。経路案内システムは、ユーザーが出発地点と目的地点を指定することにより最適な経路を探索してユーザーに経路を案内するものである。特に、視覚障害者向けに音声で経路を案内することがある。この場合、環境音再現装置１０を用いて、経路中の要所（例えば、曲がるべき交差点や目標物がある地点）の環境音を再現して音声案内に織り交ぜることで、ユーザーに経路をよりわかりやすく案内することができる。
【００６０】
以上のように、本発明における技術の例示として、実施の形態を説明した。そのために、添付図面および詳細な説明を提供した。
【００６１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６２】
また、上述の実施の形態は、本発明における技術を例示するためのものであるから、特許請求の範囲またはその均等の範囲において種々の変更、置き換え、付加、省略などを行うことができる。
【符号の説明】
【００６３】
１０…環境音再現装置、１１…モデル地点選定部、１２…音要素音量計算部、１３…音要素ミキシング部、１０Ａ…不動産検索システム、１４…物件データベース、１５…検索エンジン、１６…フロントエンドサーバ、１０１…ユーザー端末
【図１】
2019219887.tif 000003
【図２】
2019219887.tif 000004
【図３】
2019219887.tif 000005
【図４】
2019219887.tif 000006
【図５Ａ】
2019219887.tif 000007
【図５Ｂ】
2019219887.tif 000008
【図６】
2019219887.tif 000009
【図７】
2019219887.tif 000010
【図８】
2019219887.tif 000011